(57)【要約】  電子取り込みデバイスから得られるユーザにより出力製品／サービスを獲得するための方法。この方法は、ユーザにより電子取り込みデバイスを獲得するステップ、電子取り込みデバイスを使用してディジタル・データを獲得するステップと、取り込まれたディジタル・データをサービス・プロバイダに通信ネットワークを介して伝達するステップと、サービス・プロバイダがそのディジタル・データに基づいて出力製品／サービスを用意するステップと、サービス・プロバイダが出力製品／サービスをユーザに、電子取り込みデバイスが公認場所に提示された後に限って提供するステップとを包含する。
2009507296.tif 000002
【特許請求の範囲】
【請求項１】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを用意するステップと、
前記サービス・プロバイダが前記出力製品／サービスを前記ユーザに、前記電子取り込みデバイスが公認場所に提示された後に限って提供するステップと、
を包含する方法。
【請求項２】
前記電子取り込みデバイスはディジタル・ビデオ取り込みデバイスを包含する、請求項１に記載の方法。
【請求項３】
前記ディジタル・ビデオ取り込みデバイスはサウンドも取り込む、請求項２に記載の方法。
【請求項４】
前記電子取り込みデバイスは医療モニタリング／分析デバイスを包含する、請求項１に記載の方法。
【請求項５】
前記公認場所は、前記電子取り込みデバイスを前記ユーザに提供した小売り施設である、請求項１に記載の方法。
【請求項６】
前記サービス・プロバイダおよび前記小売り施設は同一の実体である、請求項５に記載の方法。
【請求項７】
前記ユーザが前記サービス・プロバイダに対する前記取り込みディジタル・データの伝達を生じさせる、請求項１に記載の方法。
【請求項８】
前記公認場所は、前記電子取り込みデバイスを受け取り、それが第２のカスタマに提供されることが可能となるように前記電子デバイスを再生する、請求項１に記載の方法。
【請求項９】
前記指定公認場所は、前記電子取り込みデバイスを、それが再び前記ユーザによって使用されることが可能となるように変更する、請求項１に記載の方法。
【請求項１０】
前記公認場所は、前記ユーザによって、前記ディジタル・データを前記サービス・プロバイダに送るため、および前記出力製品／サービスの注文のために使用されることが可能なキオスクを包含する、請求項１に記載の方法。
【請求項１１】
前記デバイスは、それが公認場所によって再生されるまで機能しなくなる、請求項１に記載の方法。
【請求項１２】
前記ユーザは、前記サービス・プロバイダに対する前記取り込まれたディジタル・データの伝達に応答して前記サービス・プロバイダが指定出力製品／サービスを産するための手続きを自動的に開始するように先行して充分な金額の支払いを行う、請求項１に記載の方法。
【請求項１３】
前記サービス・プロバイダは、受け取ったディジタル・データの変換、改善、または解釈を行って前記出力製品／サービスを提供する、請求項１に記載の方法。
【請求項１４】
前記電子取り込みデバイスは、前記サービス・プロバイダから受け取られる鍵の受け取りに応答して前記取り込まれたディジタル・データを送る、請求項１に記載の方法。
【請求項１５】
さらに、前記サービス・プロバイダからの前記ディジタル・データを使用する製品またはサービスの注文を、前記電子取り込みデバイスからディジタル・データが受け取られた後に行うことを包含する、請求項１に記載の方法。
【請求項１６】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを、前記電子取り込みデバイスが公認場所に返却されるときに前記公認場所に対する前記電子取り込みデバイスの提示に応答して前記出力製品／サービスを前記ユーザに与えることができるように準備するステップと、
を包含する方法。
【請求項１７】
前記電子取り込みデバイスはディジタル・ビデオ取り込みデバイスを包含する、請求項１６に記載の方法。
【請求項１８】
前記ディジタル・ビデオ取り込みデバイスはサウンドを取り込む、請求項１７に記載の方法。
【請求項１９】
前記電子取り込みデバイスは医療モニタリング／分析デバイスを包含する、請求項１６に記載の方法。
【請求項２０】
前記公認場所は、前記電子取り込みデバイスを前記ユーザに提供した小売り施設である、請求項１６に記載の方法。
【請求項２１】
前記サービス・プロバイダおよび前記小売り施設は同一の実体である、請求項２０に記載の方法。
【請求項２２】
前記ユーザが前記サービス・プロバイダに対する前記取り込みディジタル・データの伝達を生じさせる、請求項１６に記載の方法。
【請求項２３】
前記公認場所は、前記電子取り込みデバイスを受け取り、それが第２のカスタマに提供されることが可能となるように前記電子デバイスを再生する、請求項１６に記載の方法。
【請求項２４】
前記指定公認場所は、前記電子取り込みデバイスを、それが再び前記ユーザによって使用されることが可能となるように変更する、請求項１６に記載の方法。
【請求項２５】
前記公認場所は、前記ユーザによって、前記ディジタル・データを前記サービス・プロバイダに送るため、および前記出力製品／サービスの注文のために使用されることが可能なキオスクを包含する、請求項１６に記載の方法。
【請求項２６】
前記デバイスは、それが公認場所によって再生されるまで機能しなくなる、請求項１６に記載の方法。
【請求項２７】
前記ユーザは、前記サービス・プロバイダに対する前記取り込まれたディジタル・データの伝達に応答して前記サービス・プロバイダが指定出力製品／サービスを産するための手続きを自動的に開始するように先行して充分な金額の支払いを行う、請求項１６に記載の方法。
【請求項２８】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを用意するステップと、
前記サービス・プロバイダが前記出力製品／サービスを前記ユーザに、前記電子取り込みデバイスが公認場所に提示されるときには第１の価格で、前記電子取り込みデバイスが前記公認場所に返却されない場合にはより高い第２の価格で提供するステップと、
を包含する方法。
【請求項２９】
前記電子取り込みデバイスが後に前記公認場所に返却されるときに前記ユーザにクレジットが提供される、請求項２８に記載の方法。
【発明の詳細な説明】
【技術分野】
【０００１】
本発明は、リサイクル可能なディジタル・データ取り込みデバイスに関する。
【背景技術】
【０００２】
ディジタル取り込みデバイス、たとえばディジタル静止画像を取り込むためのディジタル静止画カメラおよびビデオを取り込むためのディジタル・ビデオ・デバイスが広く受け入れられるようになった。これらのデバイスは、まだ比較的高価であり、しばしば購入から１・２年内に陳腐化する。加えてユーザは、当該デバイスをなくすこと、または壊すことのないように使用時には注意を払わなければならない。したがって、比較的安価なデバイスを消費者による使用のために提供する必要性が存在する。ピュア・ディジタル・テクノロジーズ（Ｐｕｒｅ  Ｄｉｇｉｔａｌ  Ｔｅｃｈｎｏｌｏｇｉｅｓ）のダコタ・ディジタル（Ｄａｋｏｔａ  Ｄｉｇｉｔａｌ）のようなリサイクル可能なディジタル・デバイスの使用も提案されたが、ユーザに出力製品またはサービスを提供するためにしばしば時間を要する。またユーザがリサイクルのためにデバイスを返却することに伴う問題もある。
【発明の開示】
【発明が解決しようとする課題】
【０００３】
したがって、迅速な態様で物およびサービスをユーザに提供し、かつユーザにディジタル取り込みデバイスをリサイクルのために返却することを促進する動機付け刺激も提供しつつ、比較的高品質のディジタル・データ取り込みデバイスを提供する必要性が存在する。
【課題を解決するための手段】
【０００４】
本発明の１つの態様によれば、電子取り込みデバイスから得られる、ユーザにより出力製品／サービスを獲得するための方法が提供され、当該方法は、
ユーザにより電子取り込みデバイスを獲得するステップと、
電子取り込みデバイスを使用して電子データを獲得するステップと、
取り込まれたディジタル・データをサービス・プロバイダに通信ネットワークを介して伝達するステップと、
サービス・プロバイダがそのディジタル・データに基づいて出力製品／サービスを用意するステップと、
サービス・プロバイダが出力製品／サービスをユーザに、電子取り込みデバイスが公認場所に提示された後に限って提供するステップと、を包含する。
【０００５】
本発明の別の態様によれば、電子取り込みデバイスから得られる、ユーザにより出力製品／サービスを獲得するための方法が提供され、当該方法は、
ユーザにより電子取り込みデバイスを獲得するステップと、
電子取り込みデバイスを使用してディジタル・データを獲得するステップと、
取り込まれたディジタル・データをサービス・プロバイダに通信ネットワークを介して伝達するステップと、
サービス・プロバイダがそのディジタル・データに基づいて出力製品／サービスを、電子取り込みデバイスが公認場所に返却されるときに公認場所に対する電子取り込みデバイスの提示に応答して出力製品／サービスをユーザに与えることができるように準備するステップと、を包含する。
【０００６】
本発明のさらに別の態様によれば、電子取り込みデバイスから得られる、ユーザにより出力製品／サービスを獲得するための方法が提供され、当該方法は、
ユーザにより電子取り込みデバイスを獲得するステップと、
電子取り込みデバイスを使用してディジタル・データを獲得するステップと、
取り込まれたディジタル・データをサービス・プロバイダに通信ネットワークを介して伝達するステップと、
サービス・プロバイダがそのディジタル・データに基づいて出力製品／サービスを用意するステップと、
サービス・プロバイダが出力製品／サービスをユーザに、電子取り込みデバイスが公認場所に提示されるときには第１の価格で、電子取り込みデバイスが公認場所に返却されない場合にはより高い第２の価格で提供するステップと、を包含する。
【０００７】
本発明のこのほかの態様、目的、特徴、および利点は、以下の好ましい実施態様の詳細な説明および付随する特許請求の範囲の検討から、および添付図面の参照によってより明確に理解され認識されることとなろう。
【発明を実施するための最良の形態】
【０００８】
以下に示す本発明の好ましい実施態様の詳細な説明においては、図面の簡単な説明に挙げた添付図面に対する参照がなされる。
【０００９】
リサイクル可能な電子取り込みデバイス２０の使用のためのシステムが述べられている。図１にシステム１０を示す。電子取り込みデバイス２０は、ユーザによる購入のためにサービス・プロバイダ３０によって獲得ポイント４０に提供される。ユーザは、取り込みデバイス２０を用いてディジタル・データを取り込む。ディジタル・データを取り込んだ後、取り込みデバイス２０がネットワークに接続される。この場合は、取り込みデバイス２０がネットワーク２５に、この場合は家庭のコンピュータとするネットワーク接続ポイント／場所５０によって接続される。図解されている実施態様においてはネットワークがインターネットであるが、ネットワーク２５は、２つのデバイスの間における電子通信を可能にする任意の適切な通信ネットワークとしてよい。サービス・プロバイダ３０は、通信ネットワーク２５を介して取り込みデバイス２０から受信したデータを使用して、この場合はＣＤとする希望出力６０を作成する。取り込みデバイス２０は、希望出力６０と引き換えに公認リサイクル・ポイント／場所４０に返却される。公認場所４０は、取り込みデバイス２０の獲得された場所と同一とするか、またはそのほかの指定または系列の場所としてよい。デバイス２０によって取り込まれたデータは、静止画または動画、オーディオ、テキスト、医療データ、そのほかのデータ、またはデータ型の任意の組み合わせとすることが可能である。
【００１０】
電子取り込みデバイス２０は、リサイクル可能であり、指定量のディジタル・データを取り込むため、および／または指定長の時間にわたる動作のために作動されるような態様でセットアップされる。たとえば、電子取り込みデバイスがディジタル静止画カメラである場合には、たとえば１００、２００、３００枚といったあらかじめ決定済みの数のディジタル画像の取り込みに対してセットアップされるようにできる。それに代えて、電子取り込みデバイスがディジタル・ビデオ取り込みデバイスである場合には、たとえば１、２、または３時間といったあらかじめ決定済みの長さの時間にわたる記録に対してセットアップされるようにできる。加えて、電子取り込みデバイスが医療用診断ツールである場合には、単一被検者を伴う単一診断セッションのために必要なデータの記録に対してセットアップされるようにできる。デバイスの受け取り時にユーザが、あらかじめ決定済みの量のディジタル・データまたは取り込みデバイス２０の使用について指定し、支払うこともできる。
【００１１】
図２は、システム１０の使用のフローチャートである。ステップ２００において、サービス・プロバイダが取り込みデバイス２０を作成する。ステップ２０５においては、サービス・プロバイダ３０が取り込みデバイス２０を獲得ポイント／場所４０、たとえば小売施設に提供する。サービス・プロバイダ３０および獲得場所は、図解されているとおりに別々としてもよく、または同一の実体としてもよい。ステップ２１０ではユーザが、獲得ポイント４０において取り込みデバイス２０を獲得する。ユーザは、ステップ２１５において取り込みデバイス２０を使用してデータを取り込む。ステップ２２０においては、取り込みデバイス２０が、指定場所にデータを送信するために、そこへの通信リンクを構築するためのネットワークに接続される。図１においては、取り込みデバイス２０が、ネットワーク接続ポイント５０を通り、ネットワーク２５を介してサービス・プロバイダ３０に接続されることが示されている。しかしながら、取り込みデバイス２０に電話回線をつなぐ、または携帯電話またはデバイス２０に備えられたワイファイ（Ｗｉ‐Ｆｉ）接続を使用することによるといった多くの別の方法でネットワークに接続できる。加えてデバイス２０は、ネットワーク接続ポイント５０が家庭のコンピュータまたは類似のデバイスである場合には、コンピュータ５０がデバイス２０のためのプロキシとして作用できることから、ネットワークに実際に接続される必要がない。データは、デバイス２０がネットワーク２５に直接接続されない場合であってもネットワーク２５を介して転送されることが可能である。
【００１２】
引き続き図２を参照するが、ステップ２２５は、データが通信ネットワーク２５を介してサービス・プロバイダ３０に送信されることを示している。このデータは、ステップ２３０において受信される。サービス・プロバイダ３０は、受信されたデータから希望出力６０をステップ２３５において作成する。ステップ２４０は、希望出力６０がリサイクル・ポイント７０に送られることを示している。理解されるものとするが、この出力は、たとえば、限定ではないが、ハードコピーのプリント、Ｔシャツ、ポスター、ＣＤ（コンパクト・ディスク）、またはマグ等の取り込みデバイス２０によって取り込まれた画像を担持する任意の希望された製品またはサービス、オーディオおよび／またはビデオＣＤ、またはそのほかの任意の、電子取り込みデバイス２０によって取り込まれた取り込み済みの画像、ビデオ、および／またはオーディオを保持することができるメモリ・デバイス製品またはサービスとすることができる。本発明は、ステップ２４３におけるリサイクル・ポイント７０へのデバイス２０の返却に先行する希望された出力の準備を可能にする。この方法では、デバイス２０の返却時にリサイクル・ポイント／センタ７０が出力を有することが可能になる。リサイクル・ポイント／場所７０は、獲得ポイント／場所４０と同一の場所としてもよい。ステップ２４５においては、ユーザが希望出力６０とデバイス２０を交換する。ユーザは、デバイス２０の返却に加えて希望出力６０を得るための額を支払わなければならないことから、均等の交換とならないことがある。ステップ２５０は、デバイス２０がサービス・プロバイダ３０に移送されることを示している。ステップ２５５においてはサービス・プロバイダ３０がデバイス２０を受け取り、ステップ２６０においては、サービス・プロバイダ３０がデバイス２０を再使用のために準備する。この時点において、サイクルが反復される。
【００１３】
ユーザが、リサイクル場所７０におけるデバイス２０の返却に先行して出力を受け取ることを希望した場合には、より高い料金を出力の受け取りに関連付けすることができる。その後、リサイクル・センタ７０へのデバイス２０の返却時にクレジットまたは払い戻しがユーザに与えられるようにしてもよい。それに代えて、取り込みデバイス２０がリサイクル・センタ７０に返却された後に限って出力が提供されるようにしてもよい。特定のケースにおいては、リサイクル・センタ７０が、デバイス２０の返却の直後に出力を準備することができ、カスタマは、出力を受け取るために非常に長く待機する必要がない。
【００１４】
図３は、再使用の準備のために取り込みデバイスがサービス・プロバイダに返却されないシステム１０の使用を示しており、類似の番号は、手前の考察と類似のステップを示している。ステップ２００において、サービス・プロバイダが取り込みデバイス２０を使用のために準備する。ステップ２０５においては、サービス・プロバイダ３０が取り込みデバイス２０を獲得ポイント４０に提供する。ステップ２１０ではユーザが、獲得ポイント４０において取り込みデバイス２０を獲得する。ユーザは、ステップ２１５において取り込みデバイス２０を使用してデータを取り込む。ステップ２２０においては、取り込みデバイス２０がネットワークに接続される。ステップ２２５は、データがサービス・プロバイダ３０に送信されることを示している。このデータは、ステップ２３０において受信される。サービス・プロバイダ３０は、受信されたデータから希望出力６０をステップ２３５において作成する。ステップ２４０は、希望出力６０がリサイクル・ポイント７０に送られることを示している。リサイクル・ポイント７０は、獲得ポイント４０と同一の場所としてもよい。ステップ２４５においては、ユーザが希望出力６０とデバイス２０を交換する。ステップ２６０においては、リサイクル・ポイント７０がデバイス２０を再使用のために準備する。この時点において、サイクルが反復される。注意する必要があるが、再使用のための準備は、データの消去および電力が次のサイクルのための適切であることの確保だけを必要とする。この場合、リサイクル・ポイント７０は、デバイス上のデータに対するアクセスを有する必要がなく、リサイクル手続きを非常に簡単にできる。
【００１５】
図４は、再使用の準備のために取り込みデバイスがサービス・プロバイダに返却されることなく、さらにネットワークに対する接続がリサイクル・ポイント７０においてなされるシステム１０の使用を示している。この場合においても、類似の番号は、手前の考察と類似のステップを示している。ステップ２００において、サービス・プロバイダが取り込みデバイス２０を使用のために準備する。ステップ２０５においては、サービス・プロバイダ３０が取り込みデバイス２０を獲得ポイント４０に提供する。ステップ２１０ではユーザが、獲得ポイント４０において取り込みデバイス２０を獲得する。ユーザは、ステップ２１５において取り込みデバイス２０を使用してデータを取り込む。ステップ４４５においては、ユーザが取り込みデバイス２０をリサイクル・ポイント７０に返却する。ステップ２２０においては、取り込みデバイス２０がネットワークに接続される。ステップ２２５は、データがサービス・プロバイダ３０に送信されることを示している。このデータは、ステップ２３０において受信される。サービス・プロバイダ３０は、受信されたデータから希望出力６０をステップ２３５において作成する。ステップ２４０は、希望出力６０がリサイクル・ポイント７０に送られることを示している。ステップ４５０においては、ユーザが希望出力６０を受け取る。ステップ２６０においては、リサイクル・ポイント７０がデバイス２０を再使用のために準備する。この時点において、サイクルが反復される。この態様のシステム１０の使用は、医療診断デバイスが採用される場合に好ましい。デバイスが非常に高価になることがあり、またデバイスが返却されることが非常に重要となる。ユーザにリサイクルのためのディジタル取り込みデバイスの返却を促進する動機付け刺激は、診断または治療のためのプランである。加えて世界の、ネットワーク接続が信頼できないか、高価であるか、またはユーザ用に存在しない地域においては、図４に示されている使用が、ネットワーク接続を提供する獲得ポイントにおける接続を可能にする。
【００１６】
図５は、再使用のために取り込みデバイス２０がサービス・プロバイダに返却されることなく、さらにネットワーク２５に対する接続がネットワーク接続ポイント５０においてなされるシステム１０の使用を示している。類似の番号は、手前の考察と類似のステップを示す。家庭のコンピュータが、接続ポイントの例として使用されている。ネットワーク接続ポイント５０は、ユーザによって選択されたネットワーク接続を可能にする任意の場所とすることが可能である。ネットワーク２５に対する接続が無線周波数手段によって行われる場合には、接続ポイントは、ネットワーク２５によってカバレッジが提供される任意の場所とすることができる。ステップ２００において、サービス・プロバイダが取り込みデバイス２０を作成する。ステップ２０５においては、サービス・プロバイダ３０が取り込みデバイス２０を獲得ポイント／場所４０に提供する。ステップ２１０ではユーザが、取り込みデバイス２０を獲得ポイント４０において獲得する。ユーザは、ステップ２１５において取り込みデバイス２０を使用してデータを取り込む。ステップ５２０においては、取り込みデバイス２０がネットワーク２５に接続される。ステップ５２５は、データがネットワーク２５を介してサービス・プロバイダ３０に送信されること示す。このデータは、取り込みデバイス２０によって取り込まれたデータを含み、さらに取り込みデバイス２０がその後の使用のために許可されることが可能となるように支払い情報も含む。データは、ステップ２３０において受信される。ステップ５３３においては、サービス・プロバイダ３０が、取り込みデバイス２０の再使用のための許可を送信する。この再使用のための許可は、所望の機能を継続するために取り込みデバイス２０のプログラミングが有していなければならないパスワードまたは番号の形式をとることが可能である。サービス・プロバイダ３０は、ステップ２３５において受信されたデータから希望出力６０を作成する。ステップ２４０は、ユーザによって指定された受領ポイントに希望出力６０が送られることを示している。この例の目的のために受領ポイントがネットワーク接続ポイント５０の場所となっているが、そのとおりとする必要はない。ユーザは、希望出力６０の配送のために別の場所を指定できる。ステップ４５０においては、ユーザが希望出力６０を受け取る。この時点において、サイクルが反復される。
【００１７】
以上の説明において、取り込みデバイス２０によって取り込まれるデータは、多くの方法で使用されることがある。例として、デバイス２０が使い切りディジタル・ビデオ・カメラの場合には、サービス・プロバイダ３０に送信されるデータが、取り込まれたビデオ・データになる。その場合においては、希望出力６０が、ユーザが見ることが可能なビデオ・ファイルを含むＤＶＤ等の何らかのタイプのメディアになる。その場合は、サービス・プロバイダ３０に送信されるデータがＤＶＤ用に適切にフォーマットされ、ディスクに書き込まれる。別の例としてデバイス２０が血液分析器等の医療診断ツールとなる場合には、サービス・プロバイダ３０に送信されるデータがデバイス２０による血液検査の結果になる。サービス・プロバイダ３０は、このデータを使用して被検者の状態を決定し、かつ適切な治療を決定する。この場合においては希望出力６０を、診断された状態に関係する医薬、診断された状態に関係する医薬のための処方、追加の検査の推奨、および治療の分析またはプランとすることができる。デバイス２０によって取り込まれるデータが、希望出力とともに含められることもあれば、含められないこともある。
【００１８】
サービス・プロバイダ３０は、希望出力６０の送り先を知らなければならない。この行き先の決定に使用可能なオプションは多く存在する。ユーザは、仕上げ業者に対するデータの送信の前に取り込みデバイス２０内に小売り業者のＩＤ番号または住所をキー入力することができる。ＩＤ番号または住所は、それとは別に取り込まれたデータとともに送信される。デバイス２０が画像を取り込むことができる場合には、ユーザは、デバイス２０を用いてリサイクル・ポイント／場所７０のＩＤまたは住所の画像を取り込むことができる。その先の取り込みは、このステップが完了し、デバイス２０によって検証されるまで可能にならない。ＩＤ番号または住所は、取り込まれたデータとともに送信される。サービス・プロバイダ３０が、異なる小売り場所に対する取り込みデバイスのＩＤ番号を追跡できる。ＩＤ番号は、取り込まれたデータとともに送信される。サービス・プロバイダ３０は、ＩＤ番号に対応する小売り場所を識別するデータベースを有している。これは、ユーザが、デバイスが最初に獲得された小売り場所以外の小売り場所に返却する場合に問題となる。ユーザがジップ・コードをキー入力し、取り込みデバイス２０が選択のための小売り場所のオプションを提供することは可能である。ジップ・コード内には、１を超える数の小売り場所、したがって選択肢が存在することがある。小売り場所にＩＤ番号が存在しないこともある。デバイスが返却されるとき、デバイスＩＤに対応する取り込み済みデータが小売り場所に送信され、その小売り場所においてメディアに書き込まれる。この場合、希望出力６０は、サービス・プロバイダ３０から送信された処方に応答して医薬を提供する薬局の場合のように、小売り場所にあるか、または現場ＤＶＤ書き込み装置が与えられた商店の場合であって、取り込みデバイス２０によって取り込まれたディジタル・データがビデオ・ファイルである場合のように小売り場所において作成されるかのいずれかになる。小売り場所は、ネットワーク接続を使用して、取り込まれたデータの分析結果にアクセスするか、またはデータをダウンロードして希望出力６０を作成するかまたは選択する。
【００１９】
注意する必要があるが、取り込みデバイス２０は、サービス・プロバイダ３０に対するデータ送信の完了に応答してユーザに引き取り時刻および場所を知らせることが可能である。サービス・プロバイダ３０は、希望出力６０がいつ、どこで提供されることになるかを示すことができる。
【００２０】
以上、本発明を、特定の好ましい実施態様に対する特定の参照とともに説明してきたが、本発明の範囲内において変形および変更がもたらされることが可能であり、本発明がここに示されている特許請求の範囲によって定義されることは理解されるであろう。
【図面の簡単な説明】
【００２１】
【図１】本発明を実施するためのシステムの説明図である。
【図２】本発明に従った出力製品／サービスを提供する１つの方法を図解したフローチャートである。
【図３】本発明に従った出力製品／サービスを提供する第２の方法を図解したフローチャートである。
【図４】本発明に従った出力製品／サービスを提供する第３の方法を図解したフローチャートである。
【図５】本発明に従った出力製品／サービスを提供するさらに別の方法を図解したフローチャートである。
【図１】
2009507296.tif 000003
【図２】
2009507296.tif 000004
【図３】
2009507296.tif 000005
【図４】
2009507296.tif 000006
【図５】
2009507296.tif 000007
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを用意するステップと、
前記サービス・プロバイダが前記出力製品／サービスを前記ユーザに、前記電子取り込みデバイスが公認場所に提示された後に限って提供するステップと、
を包含する方法。
【請求項２】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを、前記電子取り込みデバイスが公認場所に返却されるときに前記公認場所に対する前記電子取り込みデバイスの提示に応答して前記出力製品／サービスを前記ユーザに与えることができるように準備するステップと、
を包含する方法。
【請求項３】
電子取り込みデバイスから得られる、ユーザにより出力製品／サービスを獲得するための方法であって、
前記ユーザにより電子取り込みデバイスを獲得するステップと、
前記電子取り込みデバイスを使用してディジタル・データを獲得するステップと、
前記取り込まれたディジタル・データをサービス・プロバイダに通信ネットワークを介して伝達するステップと、
前記サービス・プロバイダが前記ディジタル・データに基づいて出力製品／サービスを用意するステップと、
前記サービス・プロバイダが前記出力製品／サービスを前記ユーザに、前記電子取り込みデバイスが公認場所に提示されるときには第１の価格で、前記電子取り込みデバイスが前記公認場所に返却されない場合にはより高い第２の価格で提供するステップと、
を包含する方法。
【国際調査報告】
2009507296.tif 000008
2009507296.tif 000009
2009507296.tif 000010